(57)【特許請求の範囲】
【請求項１】
矩形のシート体をいずれかの端辺に平行に折り曲げてなる折曲端辺と、該折曲端辺により区切られた第１シートおよび第２シートを前記折曲端辺に交わる端辺のうち一方の端辺位置において重複させると共に接着させてなる接着端辺と、開放端辺と、を有し、
前記第１シートには、前記接着端辺に平行な位置に第１折曲線が形成されていると共に、前記折曲端辺および前記折曲端辺に平行な位置には前記折曲端辺に交わる前記開放端辺から前記第１折曲線の形成位置にわたって切取線が形成されていて、
前記第２シートには、前記接着端辺からの離間距離が前記接着端辺と前記第１折曲線との離間距離よりも長くなる位置に前記接着端辺に平行な第２折曲線が形成されていることを特徴とするクリアファイル。
【請求項２】
前記第１折曲線と前記第２折曲線との間の位置に前記折曲端辺を二分割する点が位置していることを特徴とする請求項１記載のクリアファイル。
【請求項３】
前記第１折曲線と前記切取線とにより囲まれた所要範囲は切取開始用舌片に形成されていることを特徴とする請求項１または２記載のクリアファイル。
【発明の詳細な説明】
【技術分野】
【０００１】
本発明はクリアファイルに関し、より詳細にはクリアファイルの平面サイズを半分程度に縮小することができる折り畳み可能なクリアファイルに関する。
【背景技術】
【０００２】
書類や紙片を収納する際においては、収納具としてクリアファイルが広く用いられている。近年では、封筒として利用した後に、封筒の一部を切り取りすることで通常のクリアファイルとして使用することができる構成（特許文献１）や、手提げ袋として使用した後に、手提げ袋の一部を切り取りすることで通常のクリアファイルとして使用することができる構成（特許文献２）が提案されている。
【０００３】
これら特許文献１および２に開示されているクリアファイルの構成は、いずれも他の製品の一部にクリアファイルとして使用する部分を含めておき、必要に応じて製品の一部を切り取りすることでクリアファイルとして使用することができるものである。
【先行技術文献】
【特許文献】
【０００４】
【特許文献１】特開２０１０−１６３２１２号公報
【特許文献２】実用新案登録第３１１５７１０号公報
【発明の概要】
【発明が解決しようとする課題】
【０００５】
特許文献１および２に示すように、近年においては様々な形態のクリアファイルが提案されている。しかしながら、大きな平面サイズのクリアファイルをコンパクトな状態にすることができるクリアファイルの構成はほとんど提供されていないのが実情であり、大きな書類カバンを持たない場合には、クリアファイルをバッグに収納することができないといった課題がある。
【０００６】
そこで本願発明は、簡単な操作でクリアファイルの平面サイズを大幅に縮小させることができ、女性用バッグ等の小さいバッグであっても収納することを可能にしたクリアファイルの提供を目的としている。
【課題を解決するための手段】
【０００７】
上記課題を解決するため本願の発明者が鋭意研究した結果、以下の構成に想到した。
すなわち、本発明は、矩形のシート体をいずれかの端辺に平行に折り曲げてなる折曲端辺と、該折曲端辺により区切られた第１シートおよび第２シートを前記折曲端辺に交わる端辺のうち一方の端辺位置において重複させると共に接着させてなる接着端辺と、開放端辺と、を有し、前記第１シートには、前記接着端辺に平行な位置に第１折曲線が形成されていると共に、前記折曲端辺および前記折曲端辺に平行な位置には前記折曲端辺に交わる前記開放端辺から前記第１折曲線の形成位置にわたって切取線が形成されていて、前記第２シートには、前記接着端辺からの離間距離が前記接着端辺と前記第１折曲線との離間距離よりも長くなる位置に前記接着端辺に平行な第２折曲線が形成されていることを特徴とするクリアファイルである。
【０００８】
これにより、簡単な操作でクリアファイルの平面サイズを大幅に縮小させることができる。
【０００９】
また、前記第１折曲線と前記第２折曲線との間の位置に前記折曲端辺を二分割する点が位置していることが好ましい。
【００１０】
これにより、第１シートまたは第２シートを第１折曲線の位置でクリアファイルの内側に折り込む際に折り込み先端部をクリアファイル内に確実に収容することができる。
【００１１】
また、前記第１折曲線と前記切取線とにより囲まれた所要範囲は切取開始用舌片に形成されていることが好ましい。
【００１２】
これにより、使用者が直感的にクリアファイルの使い方を理解することができる。また、切取開始用舌片を第１シートから切り取りすることで、第１シートのクリアファイル内側への折り込みを容易に行うことができる。
【発明の効果】
【００１３】
本発明にかかるクリアファイルの構成を採用することにより、クリアファイルの平面サイズを大幅に縮小することができ、女性用の小さなバッグであってもクリアファイルを適切に収容することができ、使い勝手が良好である。また、クリアファイルに収容した紙片は紙片の表面と裏面の両面がクリアファイルのシート体２枚分により保護された状態にすることができ、クリアファイルに収納した紙片を適切に保護することができる。
【図面の簡単な説明】
【００１４】
【図１】本実施形態におけるクリアファイルの当初状態の展開図である。
【図２】本実施形態におけるクリアファイルの当初状態の正面図である。
【図３】切取線に沿ってクリアファイルの一部を切り取りしている状態を示す正面図である。
【図４】第１折り曲げ線に沿って第１シートを折り畳んだ状態を示す正面図である。
【図５】第２折り曲げ線に沿って第２シートを折り畳んだ状態を示す正面図である。
【図６】図５内の６−６線における端面図である。
【発明を実施するための形態】
【００１５】
以下、本発明にかかるクリアファイルの実施形態について図面に基づいて説明する。最初にクリアファイル１０を得るための矩形シート１１について説明する。本実施形態においては日本工業規格のＡ３版の大きさのポリプロピレン製の矩形シート１１を採用した形態に基づいて説明を行うことにする。
【００１６】
図１に示すように、矩形シート１１には長辺１１Ａを二分割する位置に短辺１１Ｂと平行な縦方向折曲線１２が形成されている。このように矩形シート１１は、縦方向折曲線１２により左側半分の第１シート１１Ｘおよび右側半分の第２シート１１Ｙに区切られている。第１シート１１Ｘには縦方向折曲線１２の中途位置に長辺１１Ａに平行な第１折曲線１３が第１シート１１Ｘの幅方向全体にわたって形成されている。そして第２シート１１Ｙには、縦方向折曲線１２の中途位置に長辺１１Ａに平行な第２折曲線１４が第２シート１１Ｙの幅方向全体にわたって形成されている。
【００１７】
本実施形態では、図１の下側の長辺１１Ａから第１折曲線１３までの離間距離よりも図１の下側の長辺１１Ａから第２折曲線１４までの離間距離の方が長くなるように第１折曲線１３と第２折曲線１４とを配設した。また、第１折曲線１３と第２折曲線１４との間に縦方向折曲線１２を二分割する点を有する配置で第１折曲線１３と第２折曲線１４とが形成されている。
【００１８】
また、図１の上側の長辺１１Ａ（縦方向折曲線１２に交わる開放端辺１９である）から第１折曲線１３の形成位置にわたって縦方向折曲線１２に平行な切取線１５が形成されている。本実施形態における切取線１５は、２本の縦方向切取線１５Ａと１本の横方向切取線１５Ｂとを有している。２本の縦方向切取線１５Ａのうち一方は、縦方向折曲線１２に重複させた状態で形成されている。他の縦方向切取線１５Ａは、長辺１１Ａ側との接続部分が円弧形状に形成されている。また、２本の縦方向切取線１５Ａと横方向切取線１５Ｂとで囲まれた所要範囲（図２のハッチング部分）は他の部分から切り離された状態の切取開始用舌片１６に形成されている。
【００１９】
このようにして形成された矩形シート１１を折り曲げ加工および接着加工することでクリアファイル１０を形成することができる。具体的には、縦方向折曲線１２の左側部分である第１シート１１Ｘを縦方向折曲線１２の右側部分である第２シート１１Ｙの上に重ねるように縦方向折曲線１２の位置で折り曲げ加工し、下側の長辺１１Ａが重複する部分（図１中の破線ハッチング部分）で第１シート１１Ｘと第２シート１１Ｙとを接着加工するのである。ここでは第１シート１１Ｘと第２シート１１Ｙとの接着加工を超音波溶着により行った。このようにして形成されたクリアファイル１０を図２に示す。
【００２０】
本実施形態にかかるクリアファイル１０は、縦方向折曲線１２により形成される端辺が折曲端辺１７となり、第１シート１１Ｘと第２シート１１Ｙとの接着部分が接着端辺１８となる。また、矩形シート１１の短辺１１Ｂにより形成されている端辺と、接着端辺１８に平行な長辺１１Ａ（図２中の上側の長辺１１Ａ）とにより形成されている端辺部分とが開放端辺１９を構成している。
【００２１】
このように図２に示すクリアファイル１０は、矩形シート１１の平面サイズの半分になり、日本工業規格のＡ４版サイズのクリアファイル１０として使用することができる。
以下に日本工業規格のＡ５版サイズ程度（Ａ５サイズよりも小さい）の紙片２０をクリアファイル１０に収容する際についてのクリアファイル１０の使用方法の一例について図３〜図６を参照しながら説明を行う。
【００２２】
使用者は紙片２０をクリアファイル１０に収容し、図３内の一点鎖線に示すように紙片２０の短辺側を折曲端辺１７に、紙片２０の長辺側を接着端辺１８にそれぞれ接するようにして収容する。次に使用者は、切取開始用舌片１６を第１シート１１Ｘの表面から離反させるようにして図３中の矢印Ａ方向に引っ張り、切取開始用舌片１６を含む折曲端辺１７に平行な所要幅範囲を第１シート１１Ｘから切り取りする。
【００２３】
次に使用者は第１シート１１Ｘを第１折曲線１３の位置で第２シート１１Ｙ側に折り曲げ、第１シート１１Ｘの長辺１１Ａ側の開放端辺１９をクリアファイル１０の内側に折り込む。より詳細には紙片２０と第２シート１１Ｙとの間に第１シート１１Ｘを挟み込ませた状態にする。このときのクリアファイル１０の状態を図４に示す。
【００２４】
続いて使用者は、図４内の二点鎖線および矢印Ｂに示すように第２シート１１Ｙを第２折曲線１４の位置で第１シート１１Ｘ側に折り曲げて、図５に示す状態にする。より詳細には、第２シート１１Ｙを第１シート１１Ｘの表面に重ねて、折り畳んだ後のクリアファイル１０’の表面と裏面に第２シート１１Ｙがあらわれた状態にする。
【００２５】
図６は図５中の６−６線における端面図である。図６からも明らかなように、折り畳んだ後のクリアファイル１０’内に収容した紙片２０の表面側と裏面側の両面は、第１シート１１Ｘと第２シート１１Ｙとにより挟み込まれた状態になっている。このようにすることで、折り畳んだ後のクリアファイル１０’に収容された紙片２０を確実に保護した状態にすることができる。
【００２６】
また、折り畳んだ後のクリアファイル１０’は４つの端辺のうち２つの端辺が折り曲げ部分で、１つの端辺が接着部分で、１つの端辺が開放部分である。このため通常のクリアファイル１０に比較して開放する端辺が少ないため、折り畳んだ後のクリアファイル１０’に収容された紙片２０の逸脱の可能性を低減させることができる。
【００２７】
以上に本発明にかかるクリアファイル１０について実施形態に基づいて詳細に説明を行ったが、本発明の技術的範囲は、以上の実施形態に限定されるものではない。例えば、本実施形態においては、クリアファイル１０の材料として透明な合成樹脂製シートであるポリプロピレン製の矩形シート１１を用いているが、矩形シート１１の材料は透明、不透明を問わず薄肉シート体の材料で形成されていればよく、材料はポリプロピレンに限定されるものではない。また、本実施形態においては、説明を容易にするため、クリアファイル１０を個々の矩形シート１１を折り曲げて個別形成する形態について説明しているが、長尺のシート体を用いてクリアファイル１０を連続的に形成してもよい。
【００２８】
また、本実施形態においては、第１折曲線１３と第２折曲線１４との間に折曲端辺１７（縦方向折曲線１２）を二分割する点が位置している形態について説明しているが、当初のクリアファイル１０に対する折り畳み後のクリアファイル１０’の平面サイズに制約がなければ、この実施形態に限定されるものではない。第１折曲線１３と第２折曲線１４とは接着端辺１８からの離間距離がそれぞれ異なっていればよい。
【００２９】
さらに、本実施形態においては、接着端辺１８は第１シート１１Ｘと第２シート１１Ｙとを超音波溶着により接着した形態について説明しているが、熱溶着や熱圧着等他の公知の接着手法を用いて接着端辺１８を形成してもよい。
【００３０】
さらにまた、本実施形態においては、２本の縦方向切取線１５Ａと横方向切取線１５Ｂとで囲まれた所要範囲を他の部分から切り離して切取開始用舌片１６を形成した形態について説明しているが、切取開始用舌片１６の配設は省略することもできる。
そして以上の変形例の他、実施形態において説明した形態を適宜組み合わせた構成を採用することも可能である。
【符号の説明】
【００３１】
１０，１０’  クリアファイル，
１１  矩形シート，
１１Ａ  長辺，１１Ｂ  短辺，１１Ｘ  第１シート，１１Ｙ  第２シート，
１２  縦方向折曲線，１３  第１折曲線，１４  第２折曲線，
１５  切取線，
１５Ａ  縦方向切取線，１５Ｂ  横方向切取線，
１６  切取開始用舌片，
１７  折曲端辺，１８  接着端辺，１９  開放端辺，
２０紙片
【要約】
【課題】  クリアファイルの平面サイズを縮小させて女性用バッグ等に収納することを可能にしたクリアファイルを提供すること。
【解決手段】  折曲端辺１７により区切られた第１シート１１Ｘ及び第２シート１１Ｙを折曲端辺１７に交わる端辺のうち一方の端辺位置で接着した接着端辺１８と、開放端辺１９とを有し、第１シート１１Ｘ又は第２シート１１Ｙには接着端辺１８に平行に第１折曲線１３が形成され、折曲端辺１７および折曲端辺１７に平行に折曲端辺１７に交わる開放端辺１９側から第１折曲線１３の位置に切取線１５が形成され、第２シート１１Ｙ又は第１シート１１Ｘには、接着端辺１８からの離間距離が接着端辺１８と第１折曲線１３との離間距離以上となる位置に第２折曲線１４が形成されていることを特徴とするクリアファイル１０である。
【選択図】図１【図１】
0005938130.tif 000002
【図２】
0005938130.tif 000003
【図３】
0005938130.tif 000004
【図４】
0005938130.tif 000005
【図５】
0005938130.tif 000006
【図６】
0005938130.tif 000007